(57)【要約】【課題】表示装置を遊技盤に簡単かつ確実に取り付ける。【解決手段】表示装置４は、前面に演出画像を表示可能な表示画面、下部に下方へ突出する係合部４２、また上部に留め具１２が挿入される取付部４３を有する。セット板８は、遊技盤３の裏面に固定され、かつ表示装置４の表示画面を遊技盤３の前面に覗かせる開口部８１と、開口部８１の下方にあって、かつ後方へほぼ水平に突出して表示装置４の下部を載置可能な載置部８２と、載置部８２に設けられ、かつ表示装置４の下部が載置部８２に載置された状態で表示装置４の係合部４２が上方から係合可能な陥入部８３と、留め具１２が着脱可能な嵌合部８４を有する。【選択図】  図３
2009142595.tif 000002
【特許請求の範囲】
【請求項１】
表面に遊技領域を有する遊技盤と、前記遊技盤の裏面にセット板を介して取り付けられ、遊技に係わる演出画像を表示可能な表示装置とを備えた遊技機において、
前記表示装置は、前面に演出画像を表示可能な表示画面、下部に下方へ突出する係合部、また上部に留め具が挿入される取付部を有し、
前記セット板は、前記遊技盤の裏面に固定され、かつ前記表示装置の表示画面を遊技盤の前面に覗かせる開口部と、前記開口部の下方にあって、かつ後方へほぼ水平に突出して前記表示装置の下部を載置可能な載置部と、前記載置部に設けられ、かつ前記表示装置の下部が前記載置部に載置された状態で前記表示装置の係合部が上方から係合可能な陥入部と、前記留め具が着脱可能な嵌合部を有することを特徴とする遊技機。
【発明の詳細な説明】
【技術分野】
【０００１】
本発明は、表示装置をセット板を介して遊技盤の裏面に取り付けた遊技機に関する。
【背景技術】
【０００２】
パチンコ機等の遊技機においては、遊技盤の裏面に遊技状況に応じた演出画像を表示可能な表示装置が取り付けられる。この表示装置は、上部に設けた係合溝を、遊技盤の裏面に固定されたセット板（取付体）のフックに係合すると共に、下部に設けた取付片を、セット板の下部に設けた棒状の突起部に係合することによって、セット板を介して遊技盤に裏面に取り付けられる（例えば、特許文献１参照）。
【０００３】
【特許文献１】特開平１１−１１４１５７号公報（図６）
【発明の開示】
【発明が解決しようとする課題】
【０００４】
上述のような遊技機においては、表示装置をセット板に取り付ける際、表示装置を持ち上げながら、表示装置の取付片をセット板の突起部に係合させなければならないため、表示装置が重い場合にはその取付け作業は極めて面倒である。また、棒状の突起部が表示装置の全荷重を受けるため、表示装置の大画面化に伴って表示装置が重くなると、突起部が折損するおそれがある。
【０００５】
本発明は、上記の課題に鑑み、表示装置を遊技盤に簡単かつ確実に取り付けることができるようにした遊技機を提供することを目的とする。
【課題を解決するための手段】
【０００６】
上記課題を解決するため、本発明にかかる遊技機においては、表面に遊技領域を有する遊技盤と、前記遊技盤の裏面にセット板を介して取り付けられ、遊技に係わる演出画像を表示可能な表示装置とを備えた遊技機において、前記表示装置は、前面に演出画像を表示可能な表示画面、下部に下方へ突出する係合部、また上部に留め具が挿入される取付部を有し、前記セット板は、前記遊技盤の裏面に固定され、かつ前記表示装置の表示画面を遊技盤の前面に覗かせる開口部と、前記開口部の下方にあって、かつ後方へほぼ水平に突出して前記表示装置の下部を載置可能な載置部と、前記載置部に設けられ、かつ前記表示装置の下部が前記載置部に載置された状態で前記表示装置の係合部が上方から係合可能な陥入部と、前記留め具が着脱可能な嵌合部を有する。この構成により、表示装置の下部をセット板の載置面に載せ、かつ表示装置の係合部をセット板の陥入部に係合して、表示装置を位置決めした状態で、表示装置の取付部を留め具によりセット板の嵌合部に固定することによって、表示装置をセット板を介して遊技盤に簡単かつ確実に取り付けることができる。また、表示装置がセット板に取り付けられた状態においては、平坦な載置面が表示装置のほぼ全重量を受けて、留め具には剪断方向の力が殆んど作用しないため、留め具の折損を防止して、表示装置を確実に保持することができる。
【発明の効果】
【０００７】
本発明の遊技機は、遊技盤の裏面に固定されるセット板に、表示装置の下部を載置する平坦な載置面を設けたことによって、表示装置をセット板を介して遊技盤に簡単かつ確実に取り付けることができる。
【発明を実施するための最良の形態】
【０００８】
以下、本発明の一実施形態を、図面に基づいて説明する。図１は、本発明の一実施形態を適用した遊技機の正面図、図２は、斜め前方から見た遊技盤を含む要部の分解斜視図、図３、４は、斜め後方から見た遊技盤を含む要部の分解斜視図、図５は、遊技盤の裏面図である。なお、以下の説明においては、図１における図面手前、図２における左斜め下方を「前方または表面」とし、図１における図面奥側、図２における右斜め上方を「後方または裏面」とし、図１における左方、図２における左斜め上方を「左方」とし、図１における右方、図２における右斜め下方を「右方」とする。
【０００９】
遊技機１は、遊技施設に据え付けられる外枠２と、外枠２内に嵌め込まれる遊技盤３と、遊技盤３の裏側に取り付けられる表示装置４と、中央部に円形のガラス板が嵌め込まれ、外枠２の左部に上下方向のヒンジ軸により開閉可能に支持された前扉５とを備え、前面右下に設けられたハンドル６を時計方向へ回転操作することにより、前扉５の下方に設けられた球貯留皿７に貯留されている遊技球が図示略の発射装置から遊技盤３の前面に形成された遊技領域３１に打ち込まれることにより所定の遊技を行うことができる。
【００１０】
遊技盤３は、前面にガイドレール９、１０によって包囲される円形（楕円形を含む）の遊技領域３１を有する。遊技領域３１内には、表示装置４の表示画面４１に表示される遊技に係わる数字や図柄等の演出画像を視認可能とする正面視矩形の表示窓３２が設けられる。発射装置から発射される遊技球は、ガイドレール９、１０により誘導されて遊技領域３１内に打ち込まれる。
【００１１】
遊技盤３の遊技領域３１には、主な部品として、遊技領域３１に打ち込まれた遊技球の流下方向を変化させる多数の遊技釘（図示略）、表示窓３２の周辺を装飾する装飾枠３３、遊技領域３１に打ち込まれた遊技球が入賞可能な図柄始動口３４及び遊技者にとって不利な第１状態（遊技球が入賞不能な閉鎖状態）と遊技者にとって有利な第２状態（遊技球が入賞可能な開放状態）とに変化可能な大入賞口３５等が配置されている。また、遊技領域３１の最下部には、図柄始動口３４、大入賞口３５等の入賞口に入賞しなかった遊技球を遊技盤３の裏面側に排出するアウト口３６が設けられている。
【００１２】
表示装置４は、液晶ディスプレイ等により構成され、遊技盤３の裏面に合成樹脂製のセット板８を介して取り付けられ、前面の表示画面４１には、遊技に係わる数字や図柄等の演出画像が表示される。表示装置４の下部には、下方へ突出する舌片状の左右の係合部４２、４２が設けられ、また、同じく上部には、合成樹脂製軸状の留め具１２が後方から挿入される左右の取付部４３、４３が設けられている。
【００１３】
遊技領域３１に打ち込まれた遊技球が図柄始動口３４に入賞すると、これを契機に所定の確率に基づいて、表示画面４１に表示されている演出画像が可変表示し、所定時間経過後、停止して確定表示される。そして、確定表示された数字、図柄等の組み合わせが、予め定められた表示態様、例えば、同一の数字や図柄が揃った場合には、大当り状態を生起させ、大入賞口３５を第１の状態から第２の状態に変化させ、遊技者に所定の遊技価値を付与する。
【００１４】
セット板８は、表示装置４の表示画面４１を遊技盤３の表示窓３２を通して遊技盤３の前面に覗かせる大きさの開口部８１を有する枠状をなし、複数のネジをもって遊技盤３の裏面に固定される。セット板８の下部には、遊技状況に応じて旗を模した可動体群１４を表示画面４１の前面に出没させて遊技を演出するための役物可動ユニット１１が配置されている。また、セット板８には、遊技状況に応じて点灯、点滅したりする発光ダイオード、各種制御基板等が取り付けられる。
【００１５】
セット板８における開口部８１の下側裏面には、開口部８１周辺の裏面（表示装置４をセット板８に取り付けた状態において、表示装置４における表示画面４１の周辺が接触する面）８５よりも後方へほぼ水平に突出し、かつ表示装置４の下部全域を載置可能な平坦な載置面８２が形成される。載置面８２には、表示装置４の左右の係合部４２、４２が上方から差し込まれて係合可能な左右の陥入部８３、８３が設けられている。係合部４２が陥入部８３に係合した状態においては、表示装置４の下部の前後、左右方向のがた付きが規制される。また、セット板８における開口部８１の上側には、表示装置４の取付部４３、４３に挿入された留め具１２、１２が後方から着脱可能に係合する筒状の左右の嵌合部８４、８４が設けられている。
【００１６】
遊技盤３における裏面側の表示装置４の下方には、遊技を統括的に制御する主制御基板（図示略）を収容した主制御基板ケース１３が取り付けられている。
【００１７】
図６は、表示装置４をセット板８に取り付ける過程を示す裏面図、図７は、図６におけるVII−VII線縦断面図、図８は、表示装置４をセット板８に取り付けた状態の裏面図、図９は、図８におけるIX−IX線縦断面図である。
【００１８】
表示装置４の遊技盤３に対する取り付けは、次のように行われる。先ず、表示装置４をやや後傾姿勢で、表示装置４の下部を遊技盤３の裏面に予め固定したセット板８の載置面８２に載せると共に、表示装置４の左右の係合部４２をセット板８の左右の陥入部８３に上方から差し込んで係合し、表示装置４における下部の前後、左右方向の動きを規制して位置決めを行なう。そして、表示装置４の下部を載置面８２に載せた状態で、表示装置４の上部を前方（図７において右方）へ押し込んで、表示装置４の取付部４３に挿入された留め具１２をセット板８の嵌合部８４に嵌合して、表示装置４の上部を、セット板８に固定する。
【００１９】
これにより、表示装置４は、下部がセット板８の載置面８２に載置され、上部が留め具１２によってセット板８に固定される。この状態においては、表示装置４の係合部４２がセット板８の陥入部８３に係合しているため、表示装置５の前後、左右方向へのがた付きは抑制される。
【００２０】
また、表示装置４を修理する等で遊技盤３から取り外す場合には、留め具１２をセット板８の嵌合部８４から外すことによって、表示装置４をセット板８から簡単に取り外すことができる。
【００２１】
上述のように、表示装置４の下部をセット板８の載置面８２に載置したことによって、表示装置４のほぼ全重量を平坦な載置面８２が受けることができる。この結果、表示装置４の重量が、軸状の留め具１２に対して剪断力として殆んど作用しないため、表示装置４が大型のものであっても、留め具１２が折損することが無くなり、表示装置４を確実にセット板８を介して遊技盤３の裏面に取り付けることができる。また、表示装置４をセット板８に取り付けるに際しては、表示装置４を載置面８２に載せた状態で行われるため、重い表示装置４であっても容易にセット板８に取り付けることができる。
【図面の簡単な説明】
【００２２】
【図１】本発明の一実施形態を適用した遊技機の正面図である。
【図２】斜め前方から見た遊技盤を含む要部の分解斜視図である。
【図３】斜め後方から見た遊技盤を含む要部の分解斜視図である。
【図４】斜め後方から見た遊技盤を含む要部の分解斜視図である。
【図５】遊技盤の裏面図である。
【図６】表示装置をセット板に取り付ける過程を示す裏面図である。
【図７】図６におけるVII−VII線縦断面図である。
【図８】表示装置をセット板に取り付けた状態の裏面図である。
【図９】図８におけるIX−IX線縦断面図である。
【符号の説明】
【００２３】
１  遊技機
２  外枠
３  遊技盤
４  表示装置
５  前扉
６  ハンドル
７  球貯留皿
８  セット板
９、１０  ガイドレール
１１  役物可動ユニット
１２  留め具
１３  主制御基板ケース
１４  可動体群
３１  遊技領域
３２  表示窓
３３  装飾枠
３４  図柄始動口
３５  大入賞口
３６  アウト口
４１  表示画面
４２  係合部
４３  取付部
８１  開口部
８２  載置面
８３  陥入部
８４  嵌合部
８５  裏面
【図１】
2009142595.tif 000003
【図２】
2009142595.tif 000004
【図３】
2009142595.tif 000005
【図４】
2009142595.tif 000006
【図５】
2009142595.tif 000007
【図６】
2009142595.tif 000008
【図７】
2009142595.tif 000009
【図８】
2009142595.tif 000010
【図９】
2009142595.tif 000011